(57)【要約】【課題】開口部を塞ぐ蓋体が筐体に螺子で固定される場合であっても、当該蓋体の位置決めを簡便かつ省スペースにて行えるようにする。【解決手段】媒体を抜き差しするための開口部を有した筐体２と、前記開口部を塞ぐ蓋体６とを備え、前記蓋体６が前記筐体２に螺子７で固定される電子機器において、前記筐体２または前記蓋体６の一方には、前記螺子７と同軸位置に、前記筐体２または前記蓋体６の他方に向けて突出し、かつ、突出端側が小さくなるテーパ状の断面形状を有した凸状部２ｂを形成し、前記他方には、前記螺子７と同軸位置に、前記凸状部２ｂと嵌合する逆テーパ状の断面形状を有した凹状部６ｂを形成する。【選択図】図２
2009071098.tif 000002
【特許請求の範囲】
【請求項１】
媒体を抜き差しするための開口部を有した筐体と、前記開口部を塞ぐ蓋体とを備え、前記蓋体が前記筐体に螺子で固定される電子機器において、
前記筐体または前記蓋体の一方には、前記螺子と同軸位置に、前記筐体または前記蓋体の他方に向けて突出し、かつ、突出端側が小さくなるテーパ状の断面形状を有した凸状部が形成されており、
前記他方には、前記螺子と同軸位置に、前記凸状部と嵌合する逆テーパ状の断面形状を有した凹状部が形成されている
ことを特徴とする電子機器。
【請求項２】
前記螺子の抜けを防止する止め部材が当該螺子に付設されているともに、
前記凸状部の頂面と前記凹状部の底面との間には、前記螺子の有効螺子長および前記止め部材の螺子軸方向寸法から特定される大きさの間隔が確保されている
ことを特徴とする請求項１記載の電子機器。
【請求項３】
前記媒体の抜き差し方向と前記螺子の軸方向とが略直交する
ことを特徴とする請求項１記載の電子機器。
【請求項４】
前記蓋体には、前記開口部から前記筐体内に差し込まれた状態の前記媒体を押さえて当該媒体の抜けを防止する媒体押さえ手段が設けられている
ことを特徴とする請求項１記載の電子機器。
【請求項５】
前記媒体押さえ手段は、前記蓋体の裏面側に配されたリブ状部材からなる
ことを特徴とする請求項４記載の電子機器。
【請求項６】
前記リブ状部材が複数箇所に配されている
ことを特徴とする請求項５記載の電子機器。
【発明の詳細な説明】
【技術分野】
【０００１】
本発明は、開口部を有した筐体とこれを塞ぐ蓋体とを備えた電子機器に関する。
【背景技術】
【０００２】
電子機器の一例である小型のＣＣＤ（Charge Coupled Device）カメラ装置には、小型カード型のメモリ媒体の装着使用に対応したものがある。すなわち、メモリ媒体が出し入れされる開口部が設けられた筐体と、その開口部を開閉するための扉となる蓋体と、を備えて構成されたものがある（例えば、特許文献１、２参照）。
【０００３】
【特許文献１】特開２０００−３２２５１８号公報
【特許文献２】特開２００７−１７３９４５号公報
【発明の開示】
【発明が解決しようとする課題】
【０００４】
近年、小型カード型のメモリ媒体の装着使用に対応したカメラ装置としては、スマートカメラと呼ばれるものが広く利用されつつある。スマートカメラは、防犯カメラ、監視カメラまたはＦＡカメラ（産業用カメラ）等として使用されるもので、装着されたメモリ媒体から読み出した駆動プラグラムに従って撮像動作等を行うようになっている。
【０００５】
このようなスマートカメラは、その使用環境を考慮すると、不要輻射や静電ノイズ等の影響を受けることなく、また良好な熱伝導性や放熱性等を備えており、さらには耐振動特性が良好であることが望まれている。これらのことから、スマートカメラは、その筐体および蓋体が、金属部材、具体的には放熱フィンを有したアルミダイカスト部材によって形成されていることが一般的である。また、蓋体は、樹脂部材の場合とは異なりラッチ構造等の採用が必ずしも容易ではないこと、確実かつ低コストで筐体に固定する必要があること、メモリ媒体（駆動プラグラム）の交換頻度が必ずしも高くないことから、筐体に螺子を用いて固定されることが一般的である。
【０００６】
ただし、蓋体が筐体に螺子で固定される場合であっても、当該蓋体の開閉は、利用者にとって容易に行い得るものでなければならない。例えば、蓋体を螺子で固定しようとしたときに、当該蓋体の位置がずれてしまい、当該螺子による固定または当該蓋体による筐体開口部の封止が正しく行えない、といったことは回避すべきである。また、蓋体の位置がずれてしまうと、螺子の先端部分が筐体に傷を発生させてしまうおそれもある。
【０００７】
この点については、蓋体によって筐体の開口部を塞ぐときに、これらの蓋体と筐体との位置を、例えば位置決めピンを利用して位置決めし、これにより蓋体の位置ずれ発生を防止することが考えられる。しかしながら、スマートカメラは、小型化が強く望まれている。そのため、筐体の開口部およびその周辺領域の大きさを十分に確保すること、すなわち開口部の周辺領域に位置決めピン等の設置スペースを確保することは、必ずしも容易ではない。
【０００８】
そこで、本発明は、開口部を塞ぐ蓋体が筐体に螺子で固定される場合であっても、当該蓋体の位置決めを簡便かつ省スペースにて行うことができ、これにより当該蓋体の開閉を利用者にとって容易なものとすることのできる電子機器を提供することを目的とする。
【課題を解決するための手段】
【０００９】
本発明は、上記目的を達成するために案出された電子機器である。すなわち、媒体を抜き差しするための開口部を有した筐体と、前記開口部を塞ぐ蓋体とを備え、前記蓋体が前記筐体に螺子で固定される電子機器において、前記筐体または前記蓋体の一方には、前記螺子と同軸位置に、前記筐体または前記蓋体の他方に向けて突出し、かつ、突出端側が小さくなるテーパ状の断面形状を有した凸状部が形成されており、前記他方には、前記螺子と同軸位置に、前記凸状部と嵌合する逆テーパ状の断面形状を有した凹状部が形成されていることを特徴とする。
【００１０】
上記構成の電子機器では、筐体または蓋体の一方にテーパ状の凸状部が形成され、他方に逆テーパ状の凹状部が形成されているので、開口部を塞ぐための蓋体を筐体に装着して螺子で固定しようとする際に、凸状部と凹状部とが互いに嵌合することになり、これにより当該蓋体が位置決めされることになる。しかも、凸状部および凹状部は螺子と同軸位置に形成されているため、当該螺子のためのスペースとは別に、凸状部および凹状部のための設置スペースを用意する必要もない。
【発明の効果】
【００１１】
本発明に係る電子機器によれば、開口部を塞ぐ蓋体が筐体に螺子で固定される場合であっても、当該蓋体を筐体に装着する際に当該螺子と同軸位置に形成された凸状部および凹状部が互いに嵌合するので、当該蓋体の位置決めを簡便かつ省スペースにて行うことができる。したがって、電子機器の利用者にとっては、当該蓋体の開閉が非常に容易なものとなる。
【発明を実施するための最良の形態】
【００１２】
以下、図面に基づき、本発明に係る電子機器について説明する。ここでは、電子機器の一例であるスマートカメラに本発明を適用した場合を例に挙げて説明する。
【００１３】
図１は、本発明が適用されたスマートカメラの概略構成例を示す説明図である。
【００１４】
図１（ａ）に示すように、スマートカメラ１は、直方体状の筐体２を備えている。この筐体２は、不要輻射や静電ノイズ等の影響を受けることなく、また良好な熱伝導性や放熱性等を備えるべく、放熱フィンを有したアルミダイカスト部材によって形成されている。そして、筐体２内には、撮像素子としての小型ＣＣＤや、これを動作させるための電気回路（駆動回路）等が、搭載されている（ただし、いずれも不図示。）。さらに、筐体２には、その一端面に、レンズユニットが螺合されるレンズ装着部３が形成されている。このレンズ装着部３には、ＣＳマウントのレンズユニット、または、レンズアダプタを介在させた状態でＣマウントのレンズユニットが、それぞれ装着されるようになっている。
【００１５】
また、スマートカメラ１は、小型カード型のメモリ媒体の一例であるＣＦ（Compact Flash）カードの装着使用に対応しており、そのＣＦカードから読み出した駆動プラグラムに従って筐体２内の電気回路が撮像動作等を行うようになっている。すなわち、スマートカメラ１では、駆動プラグラムを格納したＣＦカードが、必要に応じて抜き差しされるようになっている。
このことから、スマートカメラ１の筐体２には、図１（ｂ）に示すように、ＣＦカード４を抜き差しするための開口部５が形成されている。つまり、開口部５を通じて、筐体２内のカードリーダにＣＦカード４が挿入されたり、当該カードリーダからＣＦカード４が抜去されたりするのである。
【００１６】
ただし、ＣＦカード４が抜き差しされる開口部５が開放状態のままであると、筐体２内部の損傷や異物混入等を誘発するおそれがある。そのため、筐体２の開口部５は、必要な場合のみ開放状態とし、通常時は封止状態となるようにすべく、図１（ｃ）に示すように、蓋体６によって塞がれるようになっている。すなわち、開口部５には、当該開口部５を塞ぐ蓋体６が装着され、その蓋体６が筐体２に螺子７で固定されるようになっている。
【００１７】
蓋体６は、図１（ｄ）に示すように、筐体２と同様、放熱フィンを有したアルミダイカスト部材によって形成されており、その断面がアングル状（Ｌ字状）に形成されている。
また、螺子７は、筐体２に設けられた雌螺子部分に螺合する雄螺子部材からなるもので、筐体２の長手方向に沿った２箇所のそれぞれに配されて用いられる。なお、螺子７の頭部形状は、特に限定されるものではない。
【００１８】
ところで、蓋体６に対しては、開閉が容易であること、螺子７の紛失や筐体２内への混入防止のために当該螺子７が蓋体６から分離しないこと、筐体２へ装着する際に位置ずれが生じ難いこと、が求められている。特に、位置ずれに関しては、筐体２と蓋体６との双方に放熱フィンが形成されているため、目立ち易い。
これらの条件を満足させるために、本実施形態で説明する蓋体６および螺子７は、以下に述べるように構成されている。
【００１９】
図２は、本発明が適用されたスマートカメラの要部構成例を示す断面図である。
【００２０】
図２（ａ）に示すように、蓋体６には、螺子７が挿入される螺子穴部６ａが形成されている。そして、螺子穴部６ａに挿入された螺子７には、当該螺子７の抜けを防止する止め部材８が付設されている。止め部材８としては、例えば螺子７の螺子部分と係合する内径を有したスリット付きワッシャを用いることが考えられる。すなわち、螺子穴部６ａに螺子７を挿入し、その螺子７の螺子部分にスリット付きワッシャを差し込むことで、蓋体６の天地方向を逆にしても、当該螺子７が螺子穴部６ａから抜けることがなくなるのである。なお、止め部材８は、螺子７の抜けを防止し得るものであれば、スリット付きワッシャではなく、他の公知技術を利用して実現したものであってもよい。
【００２１】
一方、筐体２には、蓋体６の螺子穴部６ａに対応する位置、すなわち筐体２の開口部５を蓋体６で塞いだ際に当該蓋体６の螺子穴部６ａと合致する位置に、当該螺子穴部６ａに挿入された螺子７と螺合する雌螺子部２ａが形成されている。この雌螺子部２ａとの螺合により、蓋体６が筐体２に螺子７で固定されるのである。
【００２２】
また、この筐体２における雌螺子部２ａの形成箇所には、当該雌螺子部２ａと同軸位置に、蓋体６の側に向けて突出し、かつ、突出端側が小さくなるテーパ状の断面形状を有した凸状部２ｂが形成されている。すなわち、蓋体６の側における雌螺子部２ａの形成箇所周囲を盛り上げ、その盛り上げた部分の直径が一定の精度を持つように仕上げを施し、さらにはその盛り上げた部分を根元側から先端側に向かって径が小さくなるテーパ状にして、当該凸状部２ｂが形成されている。
【００２３】
この凸状部２ｂと対応するように、蓋体６における螺子穴部６ａの形成箇所には、当該螺子穴部６ａと同軸位置に、凸状部２ｂと嵌合する逆テーパ状の断面形状を有した凹状部６ｂが形成されている。すなわち、筐体２の側における螺子穴部６ａの形成箇所周囲を掘り下げ、その掘り下げた部分の直径が一定の精度を持つように仕上げを施し、さらにはその掘り下げた部分を底部に向かって径が小さくなり凸状部２ｂのテーパ状に嵌合する逆テーパ状にして、当該凹状部６ｂが形成されている。
【００２４】
筐体２の雌螺子部２ａおよび凸状部２ｂと蓋体６の螺子穴部６ａおよび凹状部６ｂとは、蓋体６が２つの螺子７によって筐体２に固定すべく、図中奥行き方向に沿って２箇所に並設されている。
ただし、蓋体６が２つの螺子７によって筐体２に固定される場合には、各螺子７に対応する凹状部６ｂの平面形状がいずれも円形状に形成されていると、ピッチ間距離の寸法公差により、嵌合しない凸状部２ｂと凹状部６ｂとが生じてしまうおそれがある。そのため、複数個所にて螺子７による固定を行う場合には、１箇所のみ基準として当該箇所の凹状部６ｂの平面形状を円形状とし、他の箇所の凹状部６ｂについては平面形状を長円状として、いわゆるニゲを設けるようにすればよい。
このように、螺子７による固定を２箇所で行えば、１箇所のみの場合に比べて締結力向上による当該固定の確実化が図れる。さらには、蓋体６を装着する際の回り止めを設ける必要も無くなる。
【００２５】
また、凸状部２ｂの頂面と凹状部６ｂの底面との間には、図２（ｂ）に示すように、筐体２の開口部５を蓋体６で塞ぐように当該蓋体６を当該筐体２に装着した際に、螺子７の有効螺子長および止め部材８の螺子軸方向寸法から特定される大きさの間隔（図中寸法Ｂ参照）が確保されているものとする。さらに詳しくは、螺子７の螺子部分全長から有効螺子長を差し引いた寸法値と止め部材８のワッシャ厚寸法値との合計値よりも、凸状部２ｂの突出量と凸状部２ｂの掘り下げ深さとの差分値のほうが大きくなるように、凸状部２ｂおよび凹状部６ｂが形成されている。
【００２６】
以上のように構成されたスマートカメラ１において、筐体２の開口部５を塞ぐ場合には、先ず、止め部材８によって螺子７の抜けが防止された状態の蓋体６を、当該開口部５に載置する。このとき、蓋体６は、当該蓋体６における凹状部６ｂと筐体２における凸状部２ｂとの嵌合によって、位置ずれが生じることなく、螺子７による固定が可能な位置に位置決めされることになる。つまり、筐体２または蓋体６の一方にテーパ状の凸状部２ｂが形成され、他方に逆テーパ状の凹状部６ｂが形成されているので、開口部５を塞ぐための蓋体６を筐体２に装着して螺子７で固定しようとする際に、凸状部２ｂと凹状部６ｂとが互いに嵌合することになり、これにより当該蓋体６が位置決めされるのである。したがって、上記構成のスマートカメラ１によれば、蓋体６を螺子７で固定しようとしたときに、当該蓋体６の位置がずれてしまうのを防止し得るので、当該螺子７による固定および当該蓋体６による開口部５の封止を正しく行えるようになり、また蓋体６の位置ずれによって螺子７の先端部分が筐体２に傷を付けてしまうといったことも回避し得る。
【００２７】
しかも、蓋体６を位置決めするための凸状部２ｂおよび凹状部６ｂは、螺子７と同軸位置に形成されている。そのため、当該螺子７のためのスペースとは別に、凸状部２ｂおよび凹状部６ｂのための設置スペースを用意する必要がない。つまり、螺子７のためのスペースと凸状部２ｂおよび凹状部６ｂのためのスペースとを共用化することができ、開口部５の周辺領域に位置決めピン等の設置スペースを確保する必要がなくなるので、スマートカメラ１の小型化を実現する上で非常に有効なものとなる。
【００２８】
さらに、凸状部２ｂおよび凹状部６ｂは、それぞれがテーパ状または逆テーパ状に形成されている。そのため、これらが蓋体６を筐体２に装着する際における案内となり、凸状部２ｂと凹状部６ｂとの嵌合の円滑化および安定化が図れる。さらに詳しくは、嵌合当初には双方の間に十分な隙間（余裕）があるが、嵌合の度合いが深まるにつれ双方の間の隙間が徐々に小さくなるので、当該嵌合を円滑に、かつ、安定して行うことができる。また、螺子７を締め付けることで、凸状部２ｂと凹状部６ｂとの嵌合の心出しが可能となり、これにより蓋体６の位置を必然的に決めることもできる。さらに、筐体２および蓋体６はいずれもアルミダイカスト成形によって形成されるが、その形成時における金型からの離型の容易化も図れる。
【００２９】
これらのことから、上記構成のスマートカメラ１によれば、開口部５を塞ぐ蓋体６が筐体２に螺子７で固定される場合であっても、当該蓋体６を筐体２に装着する際に当該螺子７と同軸位置に形成された凸状部２ｂおよび凹状部６ｂが互いに嵌合するので、当該蓋体６の位置決めを簡便かつ省スペースにて行うことができ、その結果として当該スマートカメラ１の利用者にとって蓋体６の開閉を非常に容易なものとすることができる。
【００３０】
また、上記構成のスマートカメラ１では、凸状部２ｂの頂面と凹状部６ｂの底面との間に、螺子７の有効螺子長および止め部材８の厚さ寸法から特定される大きさの間隔が確保されている。したがって、蓋体６を筐体２から取り外す際に螺子７を緩めても、当該螺子７から止め部材８が抜け落ちてしまうのを防止することができ、この点によってもスマートカメラ１の利用者にとっての利便性向上が図れる。
例えば、蓋体６を筐体２に装着して螺子７を締め込むと、止め部材８は、螺子７の頭部方向へ移動を始め、締まりきったところで停止する。これとは逆に、螺子７を緩める際には、当該螺子７は、抜ける方向へ移動し、筐体２の雌螺子部２ａから抜けていく。このとき、螺子７が雌螺子部２ａから完全に外れると、当該螺子７は、雌螺子部２ａから抜け去って、筐体２から離脱することになる。
ただし、止め部材８については、螺子７が雌螺子部２ａから外れても、当該螺子７の有効螺子部分から抜け去ることなく残ってないと、当該螺子７が蓋体６から抜けて離脱してしまうことになる。これを防止するために、螺子７が雌螺子部２ａから外れても止め部材８は当該螺子７の有効螺子部に残っているようにすべく、凸状部２ｂの頂面と凹状部６ｂの底面との間には、螺子７の有効螺子長および止め部材８の厚さ寸法から特定される大きさの間隔（隙間）が確保されているのである。
【００３１】
以上のような蓋体６の開閉動作を行うことで、スマートカメラ１の筐体２内にＣＦカード４を挿入したり、当該ＣＦカード４を抜去したりすることが可能となる。ここで、ＣＦカード４の抜き差し動作について簡単に説明する。
【００３２】
図３は、本発明が適用されたスマートカメラの内部構成例を示す断面図である。
図例のように、スマートカメラ１の筐体２内には、ＣＦカード４から格納情報を読み取るためのカードリーダ９が配設されている。なお、カードリーダ９は、ＣＦカード４からの情報読み取りだけでなく、当該ＣＦカード４への情報書き込みをも行い得るカードリーダライタであってもよい。
【００３３】
カードリーダ９に対してＣＦカード４を抜き差しする場合には、螺子７を緩めて蓋体６を筐体２から取り外す。そして、開放状態の開口部５を通じて、カードリーダ９にＣＦカード４を差し込む。または、開口部５から覗くカードリーダ９のイジェクトボタン（ただし不図示）を操作して、カードリーダ９からＣＦカード４を抜き出す。ＣＦカード４の抜き差し後は、止め部材８によって螺子７の抜けが防止された状態の蓋体６を開口部５に載置して当該開口部５を塞ぎ、蓋体６における凹状部６ｂと筐体２における凸状部２ｂとの嵌合により当該蓋体６の位置決めを行いつつ、螺子７を締め込んで当該蓋体６を固定する。
【００３４】
このような抜き差し動作が行われるスマートカメラ１では、ＣＦカード４の抜き差し方向（図中矢印Ｃ参照）が、螺子７の軸方向（図中矢印Ｄ参照）と略直交するように、それぞれの方向が設定されている。すなわち、蓋体６は筐体２の外表面に倣うように断面がアングル状（Ｌ字状）に形成されているが、その蓋体６における螺子穴部６ａおよび凹状部６ｂは、ＣＦカード４の挿抜経路上に位置する片部分ではなく、当該挿抜経路に沿った片部分の側に形成されている。
【００３５】
以上のように、ＣＦカード４の抜き差し方向と螺子７の軸方向とが略直交するように設定されていれば、筐体２に開口部５や雌螺子部２ａ等を配設するためのスペースを有効活用して、蓋体６を小型化することが可能となる。
【００３６】
図４は、開口部等の配設態様の具体例を示す説明図である。
例えば、ＣＦカード４の抜き差し方向と螺子７の軸方向とが平行である場合には、カードリーダ９のイジェクトボタンの操作に支障を来たさないようにすべく、開口部５を避けてその外方側に雌螺子部２ａを配設する必要がある。そのため、蓋体６は、ＣＦカード４の幅方向の大きさが、開口部５の大きさと雌螺子部２ａの設置スペースとを覆う大きさとなるように、形成されることになる。
これに対して、ＣＦカード４の抜き差し方向と螺子７の軸方向とが略直交していれば、必ずしも開口部５の外方側に雌螺子部２ａを配設する必要はなく、図４（ａ）に示すように、雌螺子部２ａおよび凸状部２ｂの配設位置と、カードリーダ９のイジェクトボタン９ａの位置とが、平面的に重なり合うように配することができ、その結果として蓋体６の小型化が可能となるのである。
【００３７】
また、ＣＦカード４の抜き差し方向と螺子７の軸方向とが略直交している場合には、蓋体６の断面がアングル状（Ｌ字状）に形成されることになる。そのため、筐体２の開口部５を塞ぐべく当該開口部５に蓋体６を載置すると、蓋体６の重心位置（重量バランス）に起因して、図４（b）に示すように、当該蓋体６が載置位置から脱落してしまうことも考えられる（図中矢印Ｅ参照）。ところが、筐体２に凸状部２ｂが、蓋体６に凹状部６ｂが、それぞれ設けられており、これらが嵌合するように構成されていれば、蓋体６の断面がアングル状に形成されていても、当該嵌合によって蓋体６の脱落を防止することができる。つまり、重心の安定しない形状の蓋体６を取り付ける場合において、当該蓋体６を筐体２に乗せた際の安定性を高めることが可能となるのである。
【００３８】
ところで、カードリーダ９に差し込まれた状態のＣＦカード４は、当該カードリーダ９におけるコネクタに接続されているのみであることが一般的である。すなわち、カードリーダ９には、通常、ＣＦカード４の抜けを防止するためのストッパ機構が設けられていない。そのため、スマートカメラ１が振動や衝撃等を受ける環境下で使用される場合には、その環境の影響によってＣＦカード４がカードリーダ９から抜けてしまうおそれがある。
【００３９】
このことから、蓋体６には、開口部５から筐体２内のカードリーダ９に差し込まれた状態のＣＦカード４を押さえて当該ＣＦカード４の抜けを防止する媒体押さえ手段を設けることが考えられる。
【００４０】
図５は、媒体押さえ手段の構成例を示す説明図である。
図例では、媒体押さえ手段として、蓋体６の裏面側（筐体２内に面する側）に、２つのリブ状部材１０が配されている。各リブ状部材１０は、いずれも蓋体６の裏面から筐体２内に向けて突出するように形成された畝（うね）状のもので、その間隔がＣＦカード４の幅方向寸法よりも小さくなるように配置されている。
【００４１】
このようなリブ状部材１０が設けられた蓋体６で開口部５を塞げば、カードリーダ９に差し込まれた状態のＣＦカード４には、当該蓋体６におけるリブ状部材１０の突出頂辺が当接することになる。すなわち、リブ状部材１０の当接によって、カードリーダ９内のＣＦカード４は、当該カードリーダ９のコネクタから抜けないように押さえられる。したがって、スマートカメラ１が振動や衝撃等の影響を受け、これによりＣＦカード４がカードリーダ９のコネクタから抜け出ようとしても、リブ状部材１０の突出頂辺に押さえられて抜けが防止されるので、当該コネクタを介したＣＦカード４とカードリーダ９との電気的接続が解消されてしまうことがない。
【００４２】
ＣＦカード４の抜けを防止する媒体押さえ手段としては、必ずしもリブ状部材１０である必要はなく、例えば蓋体６の裏面側の壁面をそのまま利用することも考えられる。
ところが、媒体押さえ手段としてリブ状部材１０を用いれば、当該リブ状部材１０の突出頂辺のみがＣＦカード４に当接することになるので、裏面側全体が当接する場合に比べて、蓋体６の重量削減が可能となり、また当接度合（クリアランスや押圧力の大きさ等）の調整（具体的には、例えば金型修正）も容易化する。
【００４３】
また、媒体押さえ手段として機能するリブ状部材１０は、１つのみが設けられていてもよいが、上述したように複数個所（具体的には、例えば２箇所）に配設すれば、１つのみの場合に比べて、ＣＦカード４に対する面圧を低減することが可能となる。さらには、ＣＦカード４の傾き発生についても、これを有効に抑制し得るようになるので、振動や衝撃等を受ける環境下での使用に好適なものとなる。
【００４４】
なお、上述した実施の形態では、本発明の好適な実施具体例を説明したが、本発明はその内容に限定されるものではなく、その要旨を逸脱しない範囲で適宜変更することが可能である。
例えば、本実施形態では、筐体２の側に凸状部２ｂが形成され蓋体６の側に凹状部６ｂが形成されている場合について挙げて説明したが、これらは逆に形成されていても構わない。すなわち、螺子７と同軸位置にて互いが嵌合するように配置されていれば、筐体２または蓋体６の一方に凸状部２ｂが、他方に凹状部６ｂが形成されていればよい。
また、本実施形態では、開口部５を通じて抜き差しされる媒体がＣＦカード４である場合を例に挙げて説明したが、小型カード型のメモリ媒体であれば、他の媒体であっても全く同様に適用することが可能である。
さらに、本実施形態では、スマートカメラ１に本発明を適用した場合を例に挙げて説明したが、本発明がこれに限定されることはなく、小型カード型のメモリ媒体の装着使用に対応したものであれば、スマートカメラ１以外のカメラ装置等といった他の電子機器にも適用することが考えられる。
【図面の簡単な説明】
【００４５】
【図１】本発明が適用されたスマートカメラの概略構成例を示す説明図である。
【図２】本発明が適用されたスマートカメラの要部構成例を示す断面図である。
【図３】本発明が適用されたスマートカメラの内部構成例を示す断面図である。
【図４】本発明が適用されたスマートカメラにおける開口部等の配設態様の具体例を示す説明図である。
【図５】本発明が適用されたスマートカメラにおける媒体押さえ手段の構成例を示す説明図である。
【符号の説明】
【００４６】
１…スマートカメラ、２…筐体、２ａ…雌螺子部、２ｂ…凸状部、４…ＣＦカード、５…開口部、６…蓋体、６ａ…螺子穴部、６ｂ…凹状部、７…螺子、８…止め部材、９…カードリーダ、１０…リブ状部材
【図１】
2009071098.tif 000003
【図２】
2009071098.tif 000004
【図３】
2009071098.tif 000005
【図４】
2009071098.tif 000006
【図５】
2009071098.tif 000007